(57)【要約】【課題】  金属からなる平面部に接触するようにして利用しても、また、これと同じ形態の非接触型のデータキャリア同士が接触するような状態で利用しても、問題なくリーダーで読み込むことができるＩＣタグ、ＩＣカード等のアンテナを有する非接触型のデータキャリアを提供する。【解決手段】  アンテナを有する非接触型のデータキャリアであって、中心付近、その両面に、それぞれ、突起部を設け、前記突起部により、金属からなる平面部に接触した場合や、これと同じタグと接する場合でも、リーダーにより読み込みができるように、少なくとも、必ずアンテナの１部が空間に浮くようにしている。更に、インモールド成形して、モールド樹脂を外装基材としているもので、突起部はモールド樹脂からなる外装基材に一体的に設けられている。【選択図】  図１
2005327068.tif 000002
【特許請求の範囲】
【請求項１】
アンテナを有する非接触型のデータキャリアであって、その両面に、それぞれ、突起部を設け、前記突起部により、金属からなる平面部に接触した場合や、これと同じタグと接する場合でも、リーダーにより読み込みができるように、少なくとも、必ずアンテナの１部が空間に浮くようにしていることを特徴とする非接触型のデータキャリア。
【請求項２】
請求項１に記載の非接触型のデータキャリアであって、中心付近、その両面に、それぞれ、突起部を設けていることを特徴とする非接触型のデータキャリア。
【請求項３】
請求項１ないし２のいずれか１項に記載の非接触型のデータキャリアであって、インモールド成形して、モールド樹脂を外装基材としているもので、前記突起部は、モールド樹脂からなる外装基材に一体的に設けられていることを特徴とする非接触型のデータキャリア。
【請求項４】
請求項１ないし３のいずれか１項に記載の非接触型のデータキャリアであって、ＩＣタグであることを特徴とする非接触型のデータキャリア。
【請求項５】
アンテナを有する非接触型のデータキャリアに、後付けで取り付け、中心付近、その両面に、それぞれ、突起部を設けるためのアタッチメントであって、前記両面の突起部を、それぞれ、形成するための２つの突起形成部を設けており、該２つの突起形成部間に非接触型のデータキャリアを挟むようにして、取り付けるものであることを特徴とする非接触型のデータキャリア用のアタッチメント。
【請求項６】
請求項５に記載の非接触型のデータキャリア用のアタッチメントであって、全体がクリップ状になっており、クリップ方式により、非接触型のデータキャリアに、取り付けるものであることを特徴とする非接触型のデータキャリア用のアタッチメント。
【請求項７】
請求項５に記載の非接触型のデータキャリア用のアタッチメントであって、全体がワッカ状になっており、ワッカ掛け方式により、非接触型のデータキャリアに、取り付けるものであることを特徴とする非接触型のデータキャリア用のアタッチメント。
【請求項８】
アンテナを有する非接触型のデータキャリアに対して読み込みを行うための、読み込み方法であって、前記アンテナを有する非接触型のデータキャリアの中心付近、その基材の両面に、それぞれ、突起部を設け、該突起部により、金属からなる平面部に接触する場合、あるいは、これと同じくして突起部を設けたタグと接する場合において、少なくとも、必ずアンテナの１部が空間に浮くようにして、リーダーにより読み込みを行うことを特徴とする非接触型のデータキャリアの読み込み方法。
【請求項９】
請求項８に記載の非接触型のデータキャリアの読み込み方法であって、後付けで突起部形成用のアタッチメントを取り付けて、非接触型のデータキャリアの両面に、それぞれ、突起部を設けることを特徴とする
非接触型のデータキャリアの読み込み方法。
【発明の詳細な説明】
【技術分野】
【０００１】
本発明は、非接触型のデータキャリアに関し、特に、金属からなる平面部に接触した場合や、これと同じタグと接する場合でも、リーダーにより読み込みができる、ＩＣタグ、ＩＣカード等のアンテナを有する非接触型のデータキャリアに関する。
【背景技術】
【０００２】
近年、データを搭載したＩＣを、アンテナ回路と接続した、シート状ないし札状の非接触式のＩＣタグが、近年、種々提案され、商品や包装箱等に付け、万引き防止、物流システム、商品管理等に利用されるようになってきた。
そして、場合によっては、ＩＣタグ、ＩＣカード等のアンテナを有する非接触型のデータキャリアを、金属からなる平面部に接触するようにして利用したいこともある。
あるいはまた、非接触型のデータキャリア同士が接触するような状態で利用したいこともある。
しかしながら、図７（ｃ）に示すように、ＩＣタグ、ＩＣカード等のアンテナを有する非接触型のデータキャリア７１０を、金属からなる平面部（以下、金属面７４０Ｓと言う）に接触するようにして利用しようとした場合、アンテナの内側を通る磁束は金属面７４０Ｓに達して、該金属面７４０Ｓに渦電流を流し、結果、非接触型のデータキャリアの読み込みを難しいものとする。
また、ＩＣタグ、ＩＣカード等のアンテナを有する非接触型のデータキャリアを、非接触型のデータキャリア同士が接触するような状態で利用する際、例えば、図７（ａ）、図７（ｂ）に示すように、非接触型のデータキャリア７１０、７１１が重なった状態になった場合には、互いに干渉して、正常な読み込みができなくなることがある。
図７において、７１０、７１１は非接触型のデータキャリア、７２０、７２１は樹脂基材、７３０、７３１はアンテナ回路部材（一次ＩＣタグとも言う）、７４０は金属、７４０Ｓは金属面である。
尚、ここで言うＩＣタグとは、薄いフィルム等のベース基材上にアンテナコイルとＩＣチップ等を電気的に接続して回路部形成した、札状の、非接触データキャリアとしての機能を有するもの（以下、一次加工ＩＣタグとも言う）と、このような一次加工ＩＣタグを用い、これをモールド外装したもの（モールドタグとも言う）や、樹脂フィルムにて外装したものを含み、形状としては、札状（ラベル状とも言う）、カード状等、用途に応じて種々の形態をとる。
【０００３】
これらに対して金属製の物品に密着させても確実に作動するとともに、アンテナコイルの厚さを極めて薄くすることを目的とし、特開２００２−３２４２２１号公報（特許文献１）には、コイルアンテナ表裏の決められた位置（金属製の物品側）にシート状磁性体を貼り合わせ、金属製の物品に磁束が通らなくした形態のタグ（金属用タグとも言う）が開示されているが、この形態のものは、シート状磁性体が高価で、製造工程も複雑で、また、読み取り面が片面側からのみとなってしまう。
また、特開２００２−４２０９６号公報（特許文献２）には、磁性体や金属母材への電磁誘導タグの有効利用を目的とし、単に対象とする金属面から所定の距離以上浮かせるような形態のタグ（金属用タグとも言う）が開示されているが、この場合、金属面専用になってしまい、金属面以外の使用時には通信できなくなるという欠点があり、また、厚みや重さの問題や、材料コスト高の問題が発生する。
これは、電磁誘導タグの設置場所付近に磁性体や金属が存在すると、磁性体や金属の影響によって磁界が減衰して使用できなくなるという従来の固定観念を排除して、磁性体や金属に電磁誘導タグを非磁性体材料からなるスペーサ等を介さずに設けたものである。
しかし、このタグの場合には、金属面専用になってしまい、金属面以外の使用時には通信できなくなるという欠点があった。
また、本願発明者は、特願２００３−２０９６９６号（特許文献３）で、タグ内部に導電性層を一定距離に設け、その状態で最適周波数に合わせ込むものも提案しているが、この場合、読み取り面が片面側からのみになってしまい、また、タグ同士が重なった状態での利用は難しい。
この場合、導電性層は、タグを取り付ける対象物（これを、対象とする母材とも言う）がどのような物質であっても、例えば金属あるいは非金属であっても、対象とする母材の影響を受けずにリーダー／ライターに合せた所望の共振周波数を得ることができるようにする役割を果たすものであり、母材の材質による電磁波の変化の影響をキャンセルするということから、導電層を単にキャンセル層あるいは電磁波キャンセル層とも言う。
以上の形態は、いずれも、金属からなる平面部に接触するようにして利用する場合における問題を解決しようとするものであるが、これと同時に、タグ等の非接触型のデータキャリア同士が重なる場合における読み取り不良の問題の解決を意図したものでなく、それを解決できるものでもない。
【特許文献１】特開２００２−３２４２２１号公報
【特許文献２】特開２００２−４２０９６号公報
【特許文献３】特願２００３−２０９６９６号  尚、ここでの非接触型データキャリアは、電磁誘導型のもので、例えば、ＩＳＯ／ＩＥＣ１４４４３規格の、２０ｍｍ以内を通信距離とする近接型、あるいは、ＩＳＯ／ＩＥＣ１５６９３規格の、約１ｍまでを通信距離とする近傍型で、リーダー／ライタとの通信周波数を１３. ５６ＭＨｚとするものが挙げられる。
【発明の開示】
【発明が解決しようとする課題】
【０００４】
上記のように、近年、ＩＣタグの需要が増大し、種々の形態で用いられるようになってきたが、ＩＣタグ、ＩＣカード等のアンテナを有する非接触型のデータキャリアを、金属からなる平面部に接触するようにして利用しても、また、非接触型のデータキャリア同士が接触するような状態で利用しても、非接触型のデータキャリアを問題なくリーダーで読み込むことができる非接触型のデータキャリアが求められていた。
本発明は、これらに対応するもので、金属からなる平面部に接触するようにして利用しても、また、これと同じ形態の非接触型のデータキャリア同士が接触するような状態で利用しても、問題なくリーダーで読み込むことができるＩＣタグ、ＩＣカード等のアンテナを有する非接触型のデータキャリアを提供しようとするものである。
【課題を解決するための手段】
【０００５】
本発明の非接触型のデータキャリアは、アンテナを有する非接触型のデータキャリアであって、その両面に、それぞれ、突起部を設け、前記突起部により、金属からなる平面部に接触した場合や、これと同じタグと接する場合でも、リーダーにより読み込みができるように、少なくとも、必ずアンテナの１部が空間に浮くようにしていることを特徴とするものである。
そして、上記の非接触型のデータキャリアであって、中心付近、その両面に、それぞれ、突起部を設けていることを特徴とするものである。
そしてまた、上記の非接触型のデータキャリアであって、インモールド成形して、モールド樹脂を外装基材としているもので、前記突起部は、モールド樹脂からなる外装基材に一体的に設けられていることを特徴とするものである。
そして、上記のいずれかの非接触型のデータキャリアであって、ＩＣタグであることを特徴とするものである。
尚、勿論、両面の突起部としては、基材を貫通した一体の突起部材を配設して、設けられることもできる。
【０００６】
本発明の非接触型のデータキャリア用のアタッチメントは、アンテナを有する非接触型のデータキャリアに、後付けで取り付け、中心付近、その両面に、それぞれ、突起部を設けるためのアタッチメントであって、前記両面の突起部を、それぞれ、形成するための２つの突起形成部を設けており、該２つの突起形成部間に非接触型のデータキャリアを挟むようにして、取り付けるものであることを特徴とするものである。
そして、上記の非接触型のデータキャリア用のアタッチメントであって、全体がクリップ状になっており、クリップ方式により、非接触型のデータキャリアに、取り付けるものであることを特徴とするものである。
あるいはまた、上記の非接触型のデータキャリア用のアタッチメントであって、全体がワッカ状になっており、ワッカ掛け方式により、非接触型のデータキャリアに、取り付けるものであることを特徴とするものである。
尚、ワッカ掛け方式による取り付けとは、アタッチメントのワッカに非接触型のデータキャリアを入れて、ゴム弾性材、その他により、アタッチメントを非接触型のデータキャリアに固定して留めることを意味する。
【０００７】
本発明の非接触型のデータキャリアの読み込み方法は、アンテナを有する非接触型のデータキャリアに対して読み込みを行うための、読み込み方法であって、前記アンテナを有する非接触型のデータキャリアの中心付近、その基材の両面に、それぞれ、突起部を設け、該突起部により、金属からなる平面部に接触する場合、あるいは、これと同じくして突起部を設けたタグと接する場合において、少なくとも、必ずアンテナの１部が空間に浮くようにして、リーダーにより読み込みを行うことを特徴とするものである。
そして、上記の非接触型のデータキャリアの読み込み方法であって、後付けで突起部形成用のアタッチメントを取り付けて、非接触型のデータキャリアの両面に、それぞれ、突起部を設けることを特徴とするものである。
【０００８】
（作用）
本発明の非接触型のデータキャリアは、このような構成にすることにより、金属からなる平面部に接触するようにして利用しても、また、これと同じ形態の非接触型のデータキャリア同士が接触するような状態で利用しても、問題なくリーダーで読み込むことができるＩＣタグ、ＩＣカード等のアンテナを有する非接触型のデータキャリアを提供しようとするものである。
具体的には、その両面に、それぞれ、突起部を設け、前記突起部により、金属からなる平面部に接触した場合や、これと同じタグと接する場合でも、リーダーにより読み込みができるように、少なくとも、必ずアンテナの１部が空間に浮くようにしていることにより、これを達成している。
特に、中心付近、その両面に、それぞれ、突起部を設けることにより、比較的簡単な構造で、これを達成している。
即ち、本発明の非接触型のデータキャリアは、外部に突出する突起部をその両面に設けていることにより、金属からなる平面部に接触した場合や、これと同じタグと接する場合でも、アンテナの一部に開放部（空間）を発生させて、リーダーによる読み込みを可能にしている。
本発明の非接触型のデータキャリアとしては、インモールド成形して、モールド樹脂を外装基材とし、突起部を、モールド樹脂からなる外装基材に一体的に設けているものが挙げられるが、この場合には、特に、その突起部の配設が容易にできる。
勿論、両面の突起部を一体として連結した突起部材を、基材に貫通させて配設して形成することもできる。
特に、非接触型のデータキャリアがＩＣタグである場合には、種々の利用方法で使用することができる。
【０００９】
本発明の非接触型のデータキャリア用のアタッチメントは、このような構成にすることにより、必要に応じて、外付けで、突起部を非接触型のデータキャリアに配設することができ、また、必要に応じて、アタッチメントを非接触型のデータキャリアからはずすことができるものとしている。
非接触型のデータキャリア用のアタッチメントとしては、全体がクリップ状になっており、クリップ式により、非接触型のデータキャリアに、取り付けるものや、全体がワッカ状になっており、ワッカ掛け方式により、非接触型のデータキャリアに、取り付けるものが挙げられる。
【００１０】
本発明の非接触型のデータキャリアの読み込み方法は、このような構成にすることにより、非接触型のデータキャリアを、金属からなる平面部に接触するようにして利用しても、また、これと同じ非接触型のデータキャリア同士が接触するような状態で利用しても、問題なくリーダーで読み込むことができるものとしている。
特に、非接触型のデータキャリアに、後付けで、突起部形成用のアタッチメントを取り付けて、基材の両面に、それぞれ、突起部を設ける場合には、非接触型のデータキャリアの使用形態の自由度を大きなものとできる
【発明の効果】
【００１１】
本発明は、上記のように、金属からなる平面部に接触するようにして利用しても、また、これと同じ形態の非接触型のデータキャリア同士が接触するような状態で利用しても、問題なくリーダーで読み込むことができる突起付きの非接触型のデータキャリアの提供を可能とした。
また、このような突起付きの非接触型のデータキャリアと同等の機能を持たせるための、非接触型のデータキャリアに外付けで突起を配設できる非接触型のデータキャリア用のアタッチメントの提供を可能にした。
同時に、金属からなる平面部に接触するようにして利用しても、また、これと同じ形態の非接触型のデータキャリア同士が接触するような状態で利用しても、問題なくリーダーで読み込むことができる非接触型のデータキャリアの読み込み方法の提供を可能とした。
【発明を実施するための最良の形態】
【００１２】
本発明の実施の形態を図に基づいて説明する。
図１（ａ）は本発明の非接触型のデータキャリアの実施の形態の第１の例の１断面を示した断面図で、図１（ｂ）は図１（ａ）のＡ１側からみた図で、図１（ｃ）はアンテナコイル回路部材（一次タグとも言う）１３０の１例を示した図で、図２は図１に示す非接触型のデータキャリア外観を示した斜視図で、図３は本発明の非接触型のデータキャリアの実施の形態の第２の例の非接触型のデータキャリア外観を示した斜視図で、図４（ａ）、図４（ｂ）は、それぞれ、第１の例の非接触型のデータキャリアが金属面に接する状態の場合のリーダーによる読み込みを説明するための図で、図５は第１の例の非接触型のデータキャリア同士が接する状態の場合のリーダーによる読み込みを説明するための図で、図６は本発明のアッタッチメントの１例の使用形態を説明するための図である。
尚、図１（ａ）は図１（ｂ）のＡ２−Ａ３における断面図である。
図１〜図５において、１１０はＩＣタグ（非接触型のデータキャリア）、１２０は樹脂基材、１２１は穴部、１３０はＩＣタグ部（アンテナコイル回路部材あるいは一次加工タグとも言う）、１３１は樹脂フィルム、１３２はアンテナコイル、１３３はＩＣチップ、１３５はかしめ接続部、１３６ａ，１３６ｂは接続用端子部、１４１は突起部、２１０はＩＣタグ（非接触型のデータキャリア）、２２０は樹脂基材、２２１は穴部、２４１は突起部、３１０、３１０ａ、３１０ｂはＩＣタグ（非接触型のデータキャリア）、３１０Ａ〜３１０ＤはＩＣタグ（非接触型のデータキャリア）、３２０、３２０ａ、３２０ｂは樹脂基材、３２０Ａ〜３２０Ｄは樹脂基材、３３０、３３０ａ、３３０ｂはＩＣタグ部（一次加工タグとも言う）、３４１Ａ〜３４１Ｄ、３４１ａ、３４１ｂは突起部、３６０はリーダー、３６１は電磁波、４１０はＩＣタグ（非接触型のデータキャリア）、４２０は樹脂基材、４２１は穴部、４８０はアッタッチメント（クリップ冶具とも言う）、４８１は突起部である。
【００１３】
本発明の非接触型のデータキャリアの実施の形態の第１の例を図１に基づいて簡単に説明する。
本例の非接触型のデータキャリアは、樹脂基材１２０を外装基材として、ＩＣタグ部（一次加工ＩＣタグ）１３０をその内側配設したもので、インモールド成型により、ＩＣタグ部（一次加工ＩＣタグ）１３０に外装基材として、モールド樹脂からなる樹脂基材１２０を設けている。
そして、樹脂基材１２０に一体的に、その両面外側に突出する突起部１４１を、ＩＣタグ部（一次加工ＩＣタグ）１３０のアンテナコイル１３２の中心付近に、設けている。
インモールド成型により、モールド樹脂からなる樹脂基材１２０を設ける際に、モールド樹脂にて一体に突起部１４１を、その両面、外側に設けて、突起部１４１以外は平坦にして、ラベル状にして外装したものである。
本例は、このような突起部１４１を設けていることにより、金属からなる平面部に接触した場合や、これと同じタグと接する場合でも、リーダーにより読み込みができるように、少なくとも、図１（ｃ）に示すように、必ずアンテナコイル１３２の１辺が浮くようにすることができ、この部分に空間を形成することができ、これにより、リーダーにより読み込みができるものとしている。
尚、本例の非接触型データキャリアは、ＩＳＯ／ＩＥＣ１５６９３規格の、約１ｍまでを通信距離とする近傍型で、リーダー／ライタとの通信周波数を１３. ５６ＭＨｚとするするものである。
【００１４】
本例の非接触型のデータキャリアの場合、外観は、図２に示すように、円柱状の突起が基材１２０に一体的に形成されている。
突起部形状、サイズとしては、金属からなる平面部に接触した場合や、これと同じタグと接する場合でも、リーダーにより読み込みができるものであれば、特に限定はされない。
突起部１４１の高さとしては、１ｍｍ程度でも、リーダーの読み込みの効果は見られるが、インモールド成型性からは１０ｍｍ以下が好ましく、リーダーの読み込みの効果からは５ｍｍ以上が好ましい。
勿論、図２に示すような円柱状に限らず、例えば、図３に示すような形状でも良い。
また、本例の非接触型のデータキャリアは、モールド樹脂を外装基材（樹脂基材１２０）としてインモールド成形する際に、突起部１４１をモールド樹脂で外装基材に一体的に形成して設けたものであり、その作製が容易で、突起部を別に形成する場合に比べ生産性の良い構造である。
【００１５】
樹脂基材１２０はインモールド形成されたものであるが、用いる樹脂としては、ＰＰ（ポリプロピレン）、ＰＥ（ポリエチレン）、ＡＢＳなど汎用樹脂やＰＣ（ポリカーボネート）、ＰＡ（ポリアミド）、などの汎用エンプラ（エンジニアリング改質プラスチック）、またはＬＣＤ（液晶ポリマー）やＰＰＳ（ポリフェニレンサルフイド）などの耐熱性に優れたスーパーエンプラなどが挙げられる。
ＩＣタグ１３０としては、本例では、図１（ｃ）に示すような、樹脂フィルム１３１の１面上に、アンテナコイル１３２をその両はしを開放して形成し、ＩＣチップ１３３をアンテナコイル１３２に接続し、更に、アンテナコイル１３２の開放した両端をかしめ接続した、札状の一次ＩＣタグを用いている。
ＩＣタグ部１３０の樹脂フィルム１３１としては、ＰＥＴ（ポリエチレンテレフタレート）、ＰＥＮ（ポリエチレンナフタレート）、ＰＢＴ（ポリブチレンテレフタレート）、ＰＥＴＧ（非結晶性ポリエステルフィルム）等の汎用プラスチックフィルムのほか、ＰＩ（ポリイミド）やＰＥＩ（ポリエーテルイミド）等の耐熱性に優れた材料が用いられ、アンテナコイル１３２としては、Ｃｕ、Ａｌ等の金属箔をエッチングまたは金属メッキ形成したものや、導電性の金属粒子を混在させた導電性ペースト層を印刷形成したものが用いられる。
【００１６】
本例の非接触型のデータキャリアを金属面においた場合、図４（ａ）に示すように均衡がとれて突起部３４１だけが金属面３５０Ｓと接するようになるか、あるいは図４（ｂ）に示すように基材の一端と突起部３４１とで金属面３５０Ｓに接することとなるが、いずれの場合も、図１（ｃ）に示すアンテナコイル１３２の１辺が浮くようになり、リーダーの読み込みができるための空間が確保される。
本例の非接触型のデータキャリア同士を、図５（ａ）あるいは、図５（ｂ）に示すように、互いに接触させておいた場合においても、アンテナコイル（図示していない）の１辺は必ず浮くようになり、この部分に空間ができ、いずれの非接触型のデータキャリアもリーダーにより読み込みができる。
【００１７】
本例の非接触型のデータキャリアのインモールド成形は、例えば、突起部１４１を含む外装基材としての樹脂基材１２０の形状に合わせた、上型、下型からなる型の内部に、ＩＣタグ（一次加工ＩＣタグ）をおいた状態で、溶融したモールド樹脂を注入して成形する。
簡単には、はじめにＩＣタグ（一次加工ＩＣタグ）を下型に載せた状態とし、次いで上型を下型に合わせ型を形成し、樹脂注入口から溶融したモールド樹脂を注入し、更に冷却硬化後に型をはずして、本例の非接触型のデータキャリアを得る。
【００１８】
尚、本例の非接触型のデータキャリアはアンテナコイルを用いたものであるが、コイル状でないアンテナを用いた場合にも適用できる。
【００１９】
次に、本発明のアタッチメントの実施の形態の１例を図６を基に簡単に説明する。
本例のアタッチメント４８０は、図６に示すように、クリップ状のもので、図１（ｃ）に示すものと同じＩＣタグ（非接触型のデータキャリア）４１０の両面を、クリップ方式で挟み、ＩＣタグ４１０に保持固定されるものであり、突起部４８１はＩＣタグ４１０の図示していないアンテナコイル（図１（ｃ）の１３２に相当）の中心位置になるように固定される。
本例の場合は、その素材の弾性力で挟むものであるが、これに加え、ゴムの弾性力やばねの力を利用して挟む際の固定をより強固としても良い。
そして、突起部４８１をＩＣタグ４１０に保持固定した後、リーダーにて読み込みを行うが、このようにアタッチメント４８０をＩＣタグ４１０に取り付けた状態で、金属からなる平面部に接触させて使用する場合、あるいは、これと同じくして突起部を設けたＩＣタグと接触させて使用する場合、上記図１に示す非接触型のデータキャリアと同様、必ずアンテナの１辺が浮くことができ、この部分に空間ができ、金属面の存在や、多のＩＣタグの存在にもかかわらず、リーダーにより読み込みを行うことができる。
尚、上記の説明を以って、本発明の非接触型のデータキャリアの読み込み方法の説明代える。
【図面の簡単な説明】
【００２０】
【図１】図１（ａ）は本発明の非接触型のデータキャリアの実施の形態の第１の例の１断面を示した断面図で、図１（ｂ）は図１（ａ）のＡ１側からみた図で、図１（ｃ）はアンテナコイル回路部材（一次タグとも言う）１３０の１例を示した図である。
【図２】図１に示す非接触型のデータキャリア外観を示した斜視図である。
【図３】本発明の非接触型のデータキャリアの実施の形態の第２の例の非接触型のデータキャリア外観を示した斜視図である。
【図４】図４（ａ）、図４（ｂ）は、それぞれ、第１の例の非接触型のデータキャリアが金属面に接する状態の場合のリーダーによる読み込みを説明するための図である。
【図５】第１の例の非接触型のデータキャリア同士が接する状態の場合のリーダーによる読み込みを説明するための図である。
【図６】本発明のアッタッチメントの１例の使用形態を説明するための図である。
【図７】従来の、ＩＣタグ読み取りの不具合を説明するための図である。
【符号の説明】
【００２１】
１１０          ＩＣタグ（非接触型のデータキャリア）
１２０          樹脂基材
１２１          穴部
１３０          ＩＣタグ部（アンテナコイル回路部材あるいは一次加工タグとも言う）１３１          樹脂フィルム
１３２          アンテナコイル
１３３          ＩＣチップ
１３５          かしめ接続部
１３６ａ，１３６ｂ    接続用端子部
１４１          突起部
２１０          ＩＣタグ（非接触型のデータキャリア）
２２０          樹脂基材
２２１          穴部
２４１          突起部
３１０、３１０ａ、３１０ｂ    ＩＣタグ（非接触型のデータキャリア）
３１０Ａ〜３１０Ｄ            ＩＣタグ（非接触型のデータキャリア）
３２０、３２０ａ、３２０ｂ    樹脂基材
３２０Ａ〜３２０Ｄ            樹脂基材
３３０、３３０ａ、３３０ｂ    ＩＣタグ部（一次加工タグとも言う）
３４１ａ、３４１ｂ            突起部材
３４１Ａ〜３４１Ｄ            突起部材
３６０                        リーダー
３６１                        電磁波
４１０          ＩＣタグ（非接触型のデータキャリア）
４２０          樹脂基材
４２１          穴部
４８０          アッタッチメント（クリップ冶具とも言う）
４８１          突起部
【図１】
2005327068.tif 000003
【図２】
2005327068.tif 000004
【図３】
2005327068.tif 000005
【図４】
2005327068.tif 000006
【図５】
2005327068.tif 000007
【図６】
2005327068.tif 000008
【図７】
2005327068.tif 000009